(57)【特許請求の範囲】
【請求項１】
モータを駆動源として遊技機の盤面上を往復移動する駆動側スライド部材と、この駆動側スライド部材に移動吸収手段を介して連結された従動側スライド部材と、この従動側スライド部材を初期位置に付勢する弾性部材と、前記駆動側および従動側スライド部材の往復移動に伴ってそれぞれ該移動方向と略直交する方向へ昇降移動される駆動体と、この駆動体の昇降動作に伴って開閉動作される回動リンクとを備え、
前記移動吸収手段が、前記駆動側および従動側スライド部材のいずれか一方に設けられた長溝と、いずれか他方に設けられて前記長溝に挿入された突起とからなり、前記駆動側スライド部材の往復移動に伴って前記突起が前記長溝内を移動するとき、該駆動側スライド部材の往復移動が前記移動吸収手段で吸収されて前記従動側スライド部材へ伝達されないように構成したことを特徴とする遊技機の演出装置。
【請求項２】
請求項１の記載において、前記移動吸収手段を第１の移動吸収手段とし、前記従動側スライド部材を第１の従動側スライド部材としたとき、この第１の従動側スライド部材の前記駆動側スライド部材と反対側の端部に第２の移動吸収手段を介して第２の従動側スライド部材が連結されており、この第２の移動吸収手段が、前記第１および第２の従動側スライド部材のいずれか一方に設けられた長溝と、いずれか他方に設けられて前記長溝に挿入された突起とからなることを特徴とする遊技機の演出装置。
【請求項３】
請求項２の記載において、前記駆動側スライド部材と前記第１および第２の従動側スライド部材にそれぞれカム溝が設けられており、これら各カム溝に前記駆動体に設けられた係合突起が係合することにより、前記駆動側スライド部材と前記第１および第２の従動側スライド部材の往復移動に伴って対応する前記駆動体が個別に昇降移動されることを特徴とする遊技機の演出装置。
【請求項４】
請求項３の記載において、前記駆動側スライド部材の前記カム溝が傾斜方向を交互に異にする第１乃至第３の傾斜部を有し、前記第１の従動側スライド部材の前記カム溝が前記第２および第３の傾斜部に対応する傾斜部を有し、前記第２の従動側スライド部材の前記カム溝が前記第３の傾斜部に対応する傾斜部を有し、前記駆動側スライド部材の前記第１の傾斜部内での往復移動が前記第１の移動吸収手段によって吸収されると共に、前記駆動側スライド部材と前記第１の従動側スライド部材の前記第２の傾斜部内での往復移動が前記第２の移動吸収手段によって吸収されることを特徴とする遊技機の演出装置。
【請求項５】
請求項１〜４のいずれか１項の記載において、前記回動リンクに蝶の羽根を模した光透過性シートが付設されていると共に、前記遊技機の盤面上に前記光透過性シートに光を照射する光源が配置されていることを特徴とする遊技機の演出装置。
【発明の詳細な説明】
【技術分野】
【０００１】
本発明は、パチンコ機やスロットマシン等の遊技機の演出装置に係り、特に、複数の可動役物を個別に動作させることができる遊技機の演出装置に関するものである。
【背景技術】
【０００２】
パチンコ機に代表される遊技機においては、遊技者の興趣を惹くような趣向を凝らすために、遊技盤の中央部にＬＣＤ等からなる画像表示画面を配置すると共に、画像表示画面の近傍に可動役物を配置して遊技の演出を行うようにした中央役物装置が広く採用されている。可動役物はモータを駆動源として種々の運動を行うようになっており、従来より、複数のモータを用いて対応する複数の可動役物を個別に動作させるようにしたものが知られている（例えば、特許文献１参照）。
【０００３】
上記特許文献１に開示された遊技機の演出装置では、画像表示画面の上部に複数（例えば３つ）の可動役物が配設されており、各可動役物はそれぞれモータを駆動源として動作される駆動機構を備えている。この駆動機構は、モータの回転に伴って上下動するコイル状のばね部材や、ばね部材の先端に取り付けられた昇降可動部や、昇降可動部の下端に回転可能に支持された回転可動部等によって構成されており、モータを正逆いずれかの方向へ回転すると、ばね部材の下方への移動に伴って昇降可動部と回転可動部が一体的に下降し、昇降可動部の最下点位置で回転可動部が昇降可動部に対して回転するようになっている。したがって、複数のモータをそれぞれ回転制御することにより、画像表示画面の上部で複数の可動役物を個別に動作させることができ、画像表示画面の表示内容と各可動役物の動きを関連させることによって遊技の演出効果を高めることができる。
【特許文献１】特開２００７−２６８０１１号公報
【発明の開示】
【発明が解決しようとする課題】
【０００４】
しかしながら、前述した従来例に係る遊技機の演出装置においては、複数の可動役物を動作させるのに可動役物と同じ数のモータを必要とするため、モータ数の増加に伴ってコストアップになるという問題があり、また、複数のモータを設置するスペースを確保するのも困難であった。
【０００５】
本発明は、このような従来技術の実情に鑑みてなされたもので、その目的は、１つのモータを駆動源として複数の可動役物を個別に動作させることができる遊技機の演出装置を提供することにある。
【課題を解決するための手段】
【０００６】
上記の目的を達成するために、本発明による遊技機の演出装置は、モータを駆動源として遊技機の盤面上を往復移動する駆動側スライド部材と、この駆動側スライド部材に移動吸収手段を介して連結された従動側スライド部材と、この従動側スライド部材を初期位置に付勢する弾性部材と、前記駆動側および従動側スライド部材の往復移動に伴ってそれぞれ該移動方向と略直交する方向へ昇降移動される駆動体と、この駆動体の昇降動作に伴って開閉動作される回動リンクとを備え、前記移動吸収手段が、前記駆動側および従動側スライド部材のいずれか一方に設けられた長溝と、いずれか他方に設けられて前記長溝に挿入された突起とからなり、前記駆動側スライド部材の往復移動に伴って前記突起が前記長溝内を移動するとき、該駆動側スライド部材の往復移動が前記移動吸収手段で吸収されて前記従動側スライド部材へ伝達されないように構成した。
【０００７】
このように構成された遊技機の演出装置では、モータを駆動源として駆動側スライド部材が一方向へ所定量だけ移動すると、この駆動側スライド部材の移動に伴って対応する駆動体が昇降動作すると共に、この駆動体の昇降動作に伴って回動リンクが開閉動作する。この間、移動吸収手段の構成要素である突起は長溝内を一端部から他端部へ向かって移動するため、駆動側スライド部材の移動は移動吸収手段で吸収されて従動側スライド部材へ伝達されず、従動側スライド部材とそれに対応する駆動体は昇降動作しない。そして、駆動側スライド部材が同方向へさらに移動して突起が長溝の他端部に当接すると、従動側スライド部材が弾性部材の付勢力に抗して駆動側スライド部材と一体的に移動し、駆動側および従動側スライド部材に対応する各駆動体が昇降動作する。また、この状態からモータを駆動源として駆動側スライド部材が逆方向へ移動すると、長溝の他端部に当接していた突起が長溝内を一端部へ向かって移動し、それに伴って従動側スライド部材が弾性部材の付勢力で初期位置に戻るため、従動側スライド部材が駆動側スライド部材に追従して逆方向へ移動し、それに伴って駆動側および従動側スライド部材に対応する各駆動体が昇降動作する。このように、駆動側スライド部材から従動側スライド部材への動力伝達を移動吸収手段によって選択的に吸収／解除し、駆動側スライド部材の移動を移動吸収手段で吸収して従動側スライド部材が停止している場合は、駆動側スライド部材に対応する駆動体のみを昇降動作させ、駆動側スライド部材の移動を移動吸収手段で吸収せずに従動側スライド部材が一体的に移動している場合は、駆動側スライド部材と従動側スライド部材に対応する全ての駆動体を昇降動作させることができるため、１つのモータを駆動源として複数の可動役物を個別に動作させることができる。
【０００８】
上記の構成において、従動側スライド部材の数は１つでも良いが、駆動側スライド部材に移動吸収手段（第１の移動吸収手段）を介して連結された従動側スライド部材を第１の従動側スライド部材としたとき、この第１の従動側スライド部材に第２の移動吸収手段を介して第２の従動側スライド部材を連結し、この第２の移動吸収手段が、第１および第２の従動側スライド部材のいずれか一方に設けられた長溝と、いずれか他方に設けられて該長溝に挿入された突起とからなる構成にすると、駆動側スライド部材の移動中に、第１および第２の従動側スライド部材の一方のみを移動して他方を停止させたり、両方とも移動または停止させることができて好ましい。
【０００９】
上記の構成において、駆動体を昇降動作させる手段として、例えば駆動側スライド部材や第１および第２の従動側スライド部材の天面に凹凸形状のカム面を形成し、このカム面に駆動体の下端を係合させても良いが、駆動側スライド部材と第１および第２の従動側スライド部材にそれぞれカム溝が設けられており、これら各カム溝に対応する駆動体の係合突起が係合することにより、駆動側スライド部材と第１および第２の従動側スライド部材の往復移動に伴って対応する駆動体が個別に昇降移動されるように構成することが好ましい。
【００１０】
この場合において、駆動側スライド部材のカム溝が傾斜方向を交互に異にする第１乃至第３の傾斜部を有しており、第１の従動側スライド部材のカム溝が第２および第３の傾斜部に対応する傾斜部を有し、第２の従動側スライド部材のカム溝が第３の傾斜部に対応する傾斜部を有し、駆動側スライド部材の第１の傾斜部内での往復移動が第１の移動吸収手段によって吸収されると共に、駆動側スライド部材と第１の従動側スライド部材の第２の傾斜部内での往復移動が第２の移動吸収手段によって吸収されるように構成すると、駆動側スライド部材が一方向の始点位置から終点位置まで移動する間に、まず第１および第２の従動側スライド部材の両方を停止させた後、第２の従動側スライド部材のみを停止させて第１の従動側スライド部材を駆動側スライド部材と共に移動させ、その後に第１および第２の従動側スライド部材の両方を駆動側スライド部材と共に移動させることができて好ましい。
【００１１】
また、上記の構成において、回動リンクに蝶の羽根を模した光透過性シートが付設されていると共に、遊技機の盤面上に光透過性シートに光を照射する光源が配置されていると、盤面上で恰も複数匹の蝶が羽ばたくような動きを実現できると共に、光源から発せられた光が光透過性シートを透して遊技者に目視されるため、各可動役物による演出効果をより一層高めることができて好ましい。
【発明の効果】
【００１２】
本発明による遊技機の演出装置は、モータを駆動源として駆動側スライド部材が往復移動したとき、駆動側スライド部材から従動側スライド部材への動力伝達が移動吸収手段によって選択的に吸収されるように構成し、駆動側スライド部材の移動を移動吸収手段で吸収して従動側スライド部材が停止している場合は、駆動側スライド部材に対応する駆動体のみが昇降動作し、駆動側スライド部材の移動を移動吸収手段で吸収せずに従動側スライド部材が一体的に移動している場合は、駆動側スライド部材と従動側スライド部材に対応する全ての駆動体が昇降動作するため、１つのモータを駆動源として複数の可動役物を個別に動作させることができる。
【発明を実施するための最良の形態】
【００１３】
発明の実施の形態について図面を参照して説明すると、図１は本発明の実施形態例に係るパチンコ機の斜視図、図２は該パチンコ機に備えられる遊技盤の正面図、図３は該遊技盤に配設される演出装置の平面図、図４は該演出装置の側面図、図５は該演出装置に備えられる可動役物の斜視図、図６は該可動役物の平面図、図７は該可動役物の側面図、図８は図７のＡ−Ａ線に沿う断面図、図９は該可動役物の分解斜視図、図１０は図６のＢ−Ｂ線に沿う断面図、図１１は該可動役物に備えられるスライド部材の説明図、図１２は各スライド部材の連結状態を示す要部斜視図、図１３は図１２から基台を省略して示す要部斜視図、図１４は各スライド部材のカム溝と各駆動体との係合関係を示すタイミングチャート、図１５は複数の可動役物の動作状態を示す要部斜視図である。
【００１４】
図１に示すように、本実施形態例に係るパチンコ機（遊技機）は、遊技場の島設備に設置される機枠１と、機枠１に扉状に開閉自在に取り付けられた前面枠２と、前面枠２に収容された後述する遊技盤３と、前面枠２の前面に扉状に開閉自在に取り付けられたガラス枠４と、前面枠２の下側に配設された受皿５を有する前面ボード６と、前面ボード６に取り付けられた発射ハンドル７等を具備している。
【００１５】
図２に示すように、前記遊技盤３はガイドレール８等で囲まれた遊技領域９を有しており、遊技者によって発射ハンドル７が回転操作されると、受皿５に貯留された遊技球が図示せぬ発射装置から遊技領域９に向けて打ち出されるようになっている。遊技領域９の中央部上方には液晶パネル（ＬＣＤ）等からなる画像表示画面１０が配設されており、この画像表示画面１０の図示右側方には複数（本実施形態例では３つ）の可動役物を有する演出装置１１が配設されている。また、画像表示画面１０の下方には、可動片を有する始動入賞口１２や開閉扉を有する大入賞口１３や複数の一般入賞口１４が配設されており、いずれの入賞口にも入賞しなかった遊技球は遊技領域９の最下端部に設けられたアウト口１５から遊技盤３の裏面側に排出されるようになっている。
【００１６】
図３と図４に示すように、前記演出装置１１は合成樹脂製の支持ベース１６を備えており、この支持ベース１６は遊技盤３の凹所内に嵌め込まれて固定されている。支持ベース１６上には、蝶の姿を模した３つの可動役物１７，１８，１９と、これら各可動役物１７，１８，１９の駆動源であるモータ２０が搭載されており、以下の説明では、モータ２０に近いものから順に第１の可動役物１７、第２の可動役物１８、第３の可動役物１９と称することがある。なお、詳細な構造については後述するが、第１の可動役物１７は駆動側スライド部材２１を備え、第２および第３の可動役物１８，１９はそれぞれ従動側スライド部材２２，２３を備えている。モータ２０は支持ベース１６の起立壁１６ａにねじ止めされており、モータ２０の回転軸にはピニオン（小歯車）２４が取り付けられている。このピニオン２４は駆動側スライド部材２１の一側壁に刻設されたラック２１ａと噛合しており、モータ２０の回転に伴って駆動側スライド部材２１が支持ベース１６上を図３の矢印Ｐ１−Ｐ２へ往復移動するようになっている。支持ベース１６の平坦状の載置面１６ｂには一対の配線基板３５が敷設されており、これら配線基板３５には光源である複数のＬＥＤ３６が実装されている。
【００１７】
第１ないし第３の可動役物１７，１８，１９は対応するスライド部材２１，２２，２３を除いて基本的に同様に構成されており、以下、第２の可動役物１８を代表例として可動役物の構成を詳細に説明する。図５〜図９に示すように、この第２の可動役物１８は、支持ベース１６の載置面１６ｂに固定された基台２５と、基台２５に水平方向へ往復動可能に支持された前述の従動側スライド部材２２と、基台２５に垂直方向へ往復動可能（昇降可能）に支持された駆動体２７と、駆動体２７の昇降動作に伴って開閉動作される一対の回動リンク２８，２９と、これら回動リンク２８，２９に取り付けられた一対の可動装飾体３０と、基台２５の上部に取り付けられた固定装飾体３１とによって構成されている。ただし、固定装飾体３１は図５〜図８において図示省略されている。
【００１８】
基台２５は、前後方向へ延びるガイド孔３２ａを有する一対の支持体３２と、上下方向へ延びるガイド溝３３ａを有する一対の軸受体３３とによって構成されており、両支持体３２はスナップ結合によって一体化されている。支持体３２のガイド孔３２ａと軸受体３３のガイド溝３３ａとは互いに直交しており、ガイド溝３３ａの下端はガイド孔３２ａの上端中央部に連通している。両軸受体３３は互いのガイド溝３３ａを突き合わせた状態で両支持体３２上部に固定されており、各軸受体３３の上部には一対の軸孔３３ｂ，３３ｃがそれぞれ形成されている。
【００１９】
従動側スライド部材２２は支持体３２のガイド孔３２ａに摺動可能に挿入された長尺体であり、上面を開口した平面視細長形状の凹部２３ａが形成されている。この従動側スライド部材２２には凹部２２ａを介して対向する両側壁にカム溝３４が形成されており、後述するように、このカム溝３４は傾斜方向を交互に異にする傾斜部を有している。
【００２０】
駆動体２７は軸受体３３のガイド溝３３ａに摺動可能に挿入された棒状体であり、駆動体２７の上端部には一対の支軸２７ａが形成されている。また、駆動体２７の下端部には一対の突起２７ｂが形成されており、これら突起２７ｂは従動側スライド部材２２の凹部２２ａ内に挿入されてカム溝３４と係合している。これにより従動側スライド部材２２がガイド孔３２ａに沿って前後方向へ往復移動すると、その移動がカム溝３４と突起２７ｂの係合部分で垂直方向の動きに変換され、駆動体２７がガイド溝３３ａに沿って上下方向へ往復移動する。
【００２１】
一方の回動リンク２８は、軸受体３３の一方の軸孔３３ｂに挿入された軸部２８ａと、軸部２８ａの一端部から内方へ突出する突出片２８ｂと、軸部２８ａから外方へ突出する支持片２８ｃとを有しており、突出片２８ｂは駆動体２７の一方の支軸２７ａに回転可能に軸支されている。他方の回動リンク２９は、軸受体３３の他方の軸孔３３ｃに挿入された軸部２９ａと、軸部２９ａの一端部から内方へ突出する突出片２９ｂと、軸部２８ａから外方へ突出する支持片２９ｃとを有しており、突出片２９ｂは駆動体２７の他方の支軸２７ａに回転可能に軸支されている。これにより駆動体２７がガイド溝３３ａに沿って上下方向へ往復移動すると、両回動リンク２８，２９がそれぞれ軸部２８ａ，２９ａを中心に回転駆動され、両支持片２８ｃ，２９ｃが近接離反するように開閉動作する。
【００２２】
両回動リンク２８，２９の支持片２８ｃ，２９ｃにはそれぞれ蝶の羽根を模した可動装飾体３０が取り付けられており、図１０に示すように、これら可動装飾体３０は上層の光透過性シート３０ａと下層の光拡散シート３０ｂとの２層構造となっている。前述した各ＬＥＤ３６は可動装飾体３０の下方に配置されており、各ＬＥＤ３６から発せられた光は光拡散シート３０ｂで拡散された後、透過性シート３０ａを透して遊技者に目視されるようになっている。また、両回動リンク２８，２９の突出片２８ｂ，２９ｂの上方には蝶の胴体と頭部を模した固定装飾体３１が配置されており、この固定装飾体３１は支持体３２と軸受体３３との間に挟持されることで基台２５の上部に固定されている。したがって、駆動体２７の昇降動作に伴って両回動リンク２８，２９が固定装飾体３１の下方の軸部２８ａ，２９ａを中心に回転駆動されると、支持片２８ｃ，２９ｃに取り付けられた一対の可動装飾体３０が恰も羽ばたくように開閉動作する。
【００２３】
前述したように第１の可動役物１７と第３の可動役物１９も第２の可動役物１８と基本的な構成は同じであるが、図１１に示すように、各可動役物１７，１８，１９はそれぞれ構造の異なるスライド部材２１，２２，２３を備えている。すなわち、図３の矢印Ｐ１方向を先端、矢印Ｐ２方向を後端とすると、第１の可動役物１７に備えられる駆動側スライド部材２１にはカム溝３７が形成されると共に、このカム溝３７の形成箇所から突出する幅狭部分の先端側に突起２１ｂが形成されている。また、第２の可動役物１８に備えられる従動側スライド部材２２（以下、これを第１の従動側スライド部材２２という）には、前述したカム溝３４よりも後端部に長溝２２ｂが形成されると共に、カム溝３４の形成箇所から突出する幅狭部分の先端側に突起２２ｃが形成されている。さらに、第３の可動役物１９に備えられる従動側スライド部材２３（以下、これを第２の従動側スライド部材２３という）にはカム溝３８が形成されると共に、このカム溝３８よりも後端部に長溝２３ａが形成されている。
【００２４】
第１の従動側スライド部材２２の長溝２２ｂは該スライド部材２２の移動方向と略平行に延びており、第２の従動側スライド部材２３の長溝２３ａも該スライド部材２３の移動方向と略平行に延びている。図１２と図１３に示すように、駆動側スライド部材２１の突起２１ｂは第１の従動側スライド部材２２の長溝２２ｂ内に挿入されており、これら突起２１ｂと長溝２２ｂによって第１の移動吸収手段３９が構成されている。駆動側スライド部材２１が矢印Ｐ１方向の移動末端位置にあるときの両従動側スライド部材２２，２３の停止位置を初期位置とすると、第１の従動側スライド部材２２はコイルばねや板ばね等からなる弾性部材４０によって初期位置に付勢されており、駆動側スライド部材２１の移動に伴って突起２１ｂが長溝２２ｂ内を移動する場合、駆動側スライド部材２１の移動が第１の移動吸収手段３９で吸収されることにより、第１の従動側スライド部材２２は初期位置に停止した状態を維持する。そして、駆動側スライド部材２１の矢印Ｐ２方向への移動に伴って突起２１ｂが長溝２２ｂの図示左端部に当接した時点で、駆動側スライド部材２１と第１の従動側スライド部材２２が矢印Ｐ２方向へ一体的に移動するため、第１の従動側スライド部材２２は弾性部材４０の付勢力に抗して初期位置から矢印Ｐ２方向へ駆動側スライド部材２１と一体的に移動する。
【００２５】
一方、第１の従動側スライド部材２２の突起２２ｃは第２の従動側スライド部材２３の長溝２３ａに挿入されており、これら突起２２ｃと長溝２３ａによって第２の移動吸収手段４１が構成されている。また、第２の従動側スライド部材２３はコイルばねや板ばね等からなる弾性部材４２によって初期位置に付勢されており、第１の従動側スライド部材２２の移動に伴って突起２２ｃと長溝２３ａ内を移動する場合、第１の従動側スライド部材２２の移動が第２の移動吸収手段４１で吸収されることにより、第２の従動側スライド部材２３は初期位置に停止した状態を維持する。そして、第１の従動側スライド部材２２の矢印Ｐ２方向への移動に伴って突起２２ｃが長溝２３ａの図示左端部に当接した時点で、駆動側スライド部材２１と第１の従動側スライド部材２２および第２の従動側スライド部材２３が矢印Ｐ２方向へ一体的に移動するため、第２の従動側スライド部材２３は弾性部材４２の付勢力に抗して初期位置から矢印Ｐ２方向へ移動する。
【００２６】
駆動側スライド部材２１のカム溝３７は、図示左端の上段部を始点に傾斜方向を交互に異にする第１乃至第３の傾斜部３７ａ，３７ｂ、３７ｃが連続して右端の下段部に至るように形成されている。また、第１の従動側スライド部材２２のカム溝３４は、図示左端の上段部を始点に傾斜方向を交互に異にする第１および第２の傾斜部３４ａ，３４ｂが連続して右端の上段部に至るように形成されており、第２の従動側スライド部材２３のカム溝３８は、図示左端の上段部から傾斜部３８ａを経て右端の下段部に至るように形成されている。図１４のタイミングチャートから明らかなように、第１の移動吸収手段３９を構成する長溝２２ｂはカム溝３７の第１の傾斜部３７ａに対応する範囲に形成され、カム溝３４の第１および第２の傾斜部３４ａ，３４ｂはカム溝３７の第２および第３の傾斜部３７ｂ，３７ｃに対応する範囲に形成されている。一方、第２の移動吸収手段４１を構成する長溝２３ａはカム溝３７の第２の傾斜部３７ｂとカム溝３４の第１の傾斜部３４ａに対応する範囲に形成され、カム溝３８の傾斜部３８ａはカム溝３７の第３の傾斜部３７ｃとカム溝３４の第２の傾斜部３４ｂに対応する範囲に形成されている。
【００２７】
したがって、モータ２０を駆動源として駆動側スライド部材２１が支持ベース１６上を図３の矢印Ｐ１−Ｐ２へ往復移動すると、この駆動側スライド部材２１のカム溝３７に係合する駆動体２７は上下方向へ昇降動作を繰り返すが、第１および第２の従動側スライド部材２２，２３に係合する駆動体２７は駆動側スライド部材２１の移動位置に応じて選択的に昇降動作される。すなわち、駆動側スライド部材２１の移動が第１の移動吸収手段３９で吸収される範囲では、第１および第２の従動側スライド部材２２，２３がそれぞれ初期位置に停止した状態を維持するため、これら両従動側スライド部材２２，２３に対応する駆動体２７は上下方向へ移動しない。また、駆動側スライド部材２１の移動が第１の移動吸収手段３９で吸収されずに第１の従動側スライド部材２２と一体的に移動し、この移動が第２の移動吸収手段４１で吸収される範囲では、第２の従動側スライド部材２３のみが初期位置に停止した状態を維持するため、駆動側スライド部材２１と第１の従動側スライド部材２２に対応する駆動体２７は昇降動作するが、第２の従動側スライド部材２３に対応する駆動体２７は上下方向へ移動しない。そして、駆動側スライド部材２１の移動が第１および第２の移動吸収手段３９，４０で吸収されず、全てのスライド部材２１，２２，２３が一体的に移動する範囲では、各スライド部材２１，２２，２３に対応する全ての駆動体２７が昇降動作する。
【００２８】
本実施形態例に係るパチンコ機の演出装置１１においては、遊技球が始動入賞口１２に入賞したとき、図示せぬ制御部に記憶された乱数発生器等によって大当たりの抽選を行い、その抽選結果に基づいてモータ２０を回転制御して第１ないし第３の可動役物１７，１８，１９を動作させることにより、画像表示画面１０の表示内容と各可動役物１７，１８，１９の動きを関連付けて遊技の演出効果が高められるようになっている。図１２と図１３に示すように、第１ないし第３の可動役物１７，１８，１９が動作開始する前の待機状態において、駆動側スライド部材２１は矢印Ｐ１方向の移動末端位置にあり、第１および第２の従動側スライド部材２２，２３はそれぞれ弾性部材４０，４２の付勢力を受けて初期位置に停止している。そして、かかる待機状態をホームポジションとしてモータ２０を正逆いずれかの方向へ回転制御することにより、各駆動体２７の突起２７ｂと対応するスライド部材２１，２２，２３のカム溝３７，３４，３８との相対位置を変化させ、それに伴って各駆動体２７を個別に昇降動作させて対応する可動装飾体３０を開閉動作させる。
【００２９】
以下、かかる第１ないし第３の可動役物１７，１８，１９の動作を図１４に示すタイミングチャートを参照しつつ説明する。まず、図１２と図１３に示すように、動作開始前のホームポジションにおいて、各駆動体２７の突起２７ｂはいずれも対応するカム溝３７，３４，３８の傾斜部３７ａ，３４ａ，３８ａの左端上段部と係合しているため、各駆動体２７は軸受体３３のガイド溝３３ａに沿って基台２５の上昇位置へ移動しており、図８の実線で示すように、各駆動体２７の支軸２７ａに連結された回動リンク２８，２９は軸部２８ａ，２９ａを中心に外向きに回転駆動され、回動リンク２８，２９の支持片２８ｃ，２９ｃに取り付けられた一対の可動装飾体３０が最大角度に開放されている。したがって、第１ないし第３の可動役物１７，１８，１９は、動作開始前の待機状態において恰も３匹の蝶が羽根を拡げた状態となっている。
【００３０】
かかる待機状態からモータ２０が例えば正方向へ所定量だけ回転すると、その回転がピニオン２４からラック２１ａを介して駆動側スライド部材２１に伝達されるため、駆動側スライド部材２１が矢印Ｐ１方向の移動末端位置から矢印Ｐ２方向へ移動開始し、それに伴って駆動側スライド部材２１の突起２１ｂが第１の従動側スライド部材２２の長溝２２ｂ内を矢印Ｐ２方向へ移動する。この間、駆動側スライド部材２１の移動が第１の移動吸収手段３９で吸収されるため、第１の従動側スライド部材２２は初期位置に停止した状態を維持し、第１の従動側スライド部材２２に連結された第２の従動側スライド部材２３も初期位置に停止した状態を維持する。その結果、駆動側スライド部材２１のカム溝３７とそれに係合する駆動体２７の突起２７ｂとの相対位置が図１４中の「領域Ｉ」内で変化し、この間で該駆動体２７の突起２７ｂがカム溝３７の第１の傾斜部３７ａを経て第２の傾斜部３７ｂの下段側へと移行する。これにより、第１の可動役物１７の駆動体２７が軸受体３３のガイド溝３３ａに沿って下降し、それに伴って回動リンク２８，２９が軸部２８ａ，２９ａを中心に内向きに回転駆動されるため、図８の２点鎖線で示すように、一対の可動装飾体３０が開放位置から閉じる方向へ回転する。
【００３１】
このとき第１の従動側スライド部材２２と第２の従動側スライド部材２３はそれぞれ初期位置に停止した状態を維持するため、第２の可動役物１８と第３の可動役物１９の駆動体２７は上昇位置に停止したままで下降しない。したがって、モータ２０を回転制御して駆動側スライド部材２１を「領域Ｉ」内で矢印Ｐ１−Ｐ２へ往復移動すれば、図１５（ａ）に示すように、第１の可動役物１７だけを蝶の羽根が羽ばたくように開閉動作させることができ、この間、第２および第３の可動役物１８，１９は蝶の羽根を拡げたままの状態を維持することとなる。
【００３２】
しかる後、モータ２０を正方向へ回転制御して駆動側スライド部材２１が矢印Ｐ２方向へさらに移動し、駆動側スライド部材２１のカム溝３７と駆動体２７の突起２７ｂとの係合位置が「領域Ｉ」を越えて「領域II」まで達すると、駆動側スライド部材２１の突起２１ｂが長溝２２ｂの図示左端部に当接して第１の従動側スライド部材２２を押圧するため、駆動側スライド部材２１と一緒に第１の従動側スライド部材２２が弾性部材４０の付勢力に抗して初期位置から矢印Ｐ２方向へ移動する。この間、第１の従動側スライド部材２２の突起２２ｃは第２の従動側スライド部材２３の長溝２３ａ内を矢印Ｐ２方向へ移動するため、第１の従動側スライド部材２２の移動は第２の移動吸収手段４１で吸収され、第２の従動側スライド部材２３は初期位置に停止した状態を維持する。そして、この「領域II」内において、第１の可動役物１７に備えられる駆動体２７の突起２７ｂはカム溝３７の第２の傾斜部３７ｂを経て第３の傾斜部３７ｃの上段側へと移行するため、該駆動体２７が下降位置から上昇して回動リンク２８，２９を外向きに回転駆動させ、一対の可動装飾体３０が閉じた位置から開放する方向へ回転する。また、第２の可動役物１８に備えられる駆動体２７の突起２７ｂはカム溝３４の第１の傾斜部３４ａを経て第２の傾斜部３４ｂの下段側へと移行するため、該駆動体２７が上昇位置から下降して回動リンク２８，２９を内向きに回転駆動させ、一対の可動装飾体３０が開放位置から閉じる方向へ回転する。したがって、モータ２０を回転制御して駆動側スライド部材２１を「領域II」内で矢印Ｐ１−Ｐ２へ往復移動すれば、図１５（ｂ）に示すように、第１の可動役物１７と第２の可動役物１８を蝶の羽根が羽ばたくように交互に開閉動作させることができ、この間、第３の可動役物１９は蝶の羽根を拡げたままの状態を維持することとなる。
【００３３】
その後、モータ２０を正方向へ回転制御して駆動側スライド部材２１が矢印Ｐ２方向へさらに移動し、駆動側スライド部材２１のカム溝３７と駆動体２７の突起２７ｂとの係合位置が「領域II」を越えて「領域III」まで達すると、第１の従動側スライド部材２２の突起２２ｃが長溝２３ａの図示左端部に当接して第２の従動側スライド部材２３を押圧するため、駆動側スライド部材２１および第１の従動側スライド部材２２と一緒に第２の従動側スライド部材２３が弾性部材４２の付勢力に抗して初期位置から矢印Ｐ２方向へ移動する。この「領域III」内において、第１の可動役物１７に備えられる駆動体２７の突起２７ｂはカム溝３７の第３の傾斜部３７ｃを経て右端下段側へと移行するため、該駆動体２７が上昇位置から下降して回動リンク２８，２９を内向きに回転駆動させ、一対の可動装飾体３０が開放位置から閉じる方向へ回転する。また、第２の可動役物１８に備えられる駆動体２７の突起２７ｂはカム溝３４の第２の傾斜部３４ｂを経て右端上段側へと移行するため、該駆動体２７が下降位置から上昇して回動リンク２８，２９を外向きに回転駆動させ、一対の可動装飾体３０が閉じた位置から開放する方向へ回転する。さらに、第３の可動役物１９に備えられる駆動体２７の突起２７ｂはカム溝３８の左端上段側から傾斜部３８ａを経て右端下段側へと移行するため、該駆動体２７が上昇位置から下降して回動リンク２８，２９を内向きに回転駆動させ、一対の可動装飾体３０が開放位置から閉じる方向へ回転する。したがって、モータ２０を回転制御して駆動側スライド部材２１を「領域III」内で矢印Ｐ１−Ｐ２へ往復移動すれば、図１５（ｃ）に示すように、第１および第３の可動役物１７，１９と第２の可動役物１８とを蝶の羽根が羽ばたくように交互に開閉動作させることができる。
【００３４】
また、「領域III」内でモータ２０を上記と逆方向へ回転すると、駆動側スライド部材２１と第１および第２の第１の従動側スライド部材２２，２３が矢印Ｐ２方向の移動末端位置から矢印Ｐ１方向へ一体的に移動開始し、まず駆動側スライド部材２１のカム溝３７と駆動体２７の突起２７ｂとの係合位置が「領域III」を越えて「領域II」まで達する。この間、第１の従動側スライド部材２２と第２の従動側スライド部材２３はそれぞれ弾性部材４０，４２の付勢力を受けて矢印Ｐ１方向へ移動し、第２の従動側スライド部材２３が初期位置まで戻ると、その後は第１の従動側スライド部材２２の突起２２ｃが第２の従動側スライド部材２３の長溝２３ａの左端部から離れて右方向へ移動する。そして、駆動側スライド部材２１のカム溝３７と駆動体２７の突起２７ｂとの係合位置が「領域II」を越えて「領域Ｉ」まで達すると、この間、第１の従動側スライド部材２２は弾性部材４０の付勢力を受けて矢印Ｐ１方向へさらに移動し、第１の従動側スライド部材２２が初期位置まで戻ると、その後は駆動側スライド部材２１の突起２１ｃが第１の従動側スライド部材２２の長溝２２ａの左端部から離れて右方向へ移動してホームポジションに戻る。
【００３５】
このように本実施形態例に係るパチンコ機の演出装置１１では、モータ２０を駆動源として遊技機３の盤面上を水平方向へ往復移動する駆動側スライド部材２１と、この駆動側スライド部材２１に第１の移動吸収手段３９を介して連結された第１の従動側スライド部材２２と、この第１の従動側スライド部材２２を初期位置に付勢する弾性部材４０と、駆動側スライド部材２１および第１の従動側スライド部材２２の往復移動に伴ってそれぞれ上下方向へ昇降移動される駆動体２７と、これら駆動体２７の昇降動作に伴って開閉動作される回動リンク２８，２９とを備え、前記第１の移動吸収手段３９として駆動側スライド部材２１に設けた突起２１ｂを第１の従動側スライド部材２２に設けた長溝２２ｂに挿入する構成となし、この突起２１ｂが長溝２２ｂ内を移動することによって駆動側スライド部材２１の移動が吸収されるようにしたので、駆動側スライド部材２１の移動を第１の移動吸収手段３９で吸収して第１の従動側スライド部材２２が停止している場合は、駆動側スライド部材２１に対応する駆動体２７のみを昇降動作させ、駆動側スライド部材２１の移動を第１の移動吸収手段３９で吸収せずに第１の従動側スライド部材２２が一体的に移動している場合は、駆動側スライド部材２１と第１の従動側スライド部材２２に対応する各駆動体２７を昇降動作させることができ、１つのモータ２０を駆動源として第１および第２の可動役物１７，１８を個別に動作させることができる。
【００３６】
また、第１の従動側スライド部材２２に第２の移動吸収手段４１を介して第２の従動側スライド部材２３を連結すると共に、この第２の従動側スライド部材２３を弾性部材４２によって初期位置に付勢し、前記第２の移動吸収手段４１として第１の従動側スライド部材２２に設けた突起２２ｃを第２の従動側スライド部材２３に設けた長溝２３ａに挿入する構成としたので、モータ２０を駆動源として駆動側スライド部材２１が一方向の始点位置から終点位置まで移動する間に、まず第１の移動吸収手段３９で駆動側スライド部材２１の移動を吸収して第１および第２の従動側スライド部材２２，２３の両方を停止させた後、第１の移動吸収手段３９の動力吸収を解除して駆動側スライド部材２１と第１の従動側スライド部材２２を一体的に移動させ、このときの第１の従動側スライド部材２２の移動を第２の移動吸収手段４１で吸収して第２の従動側スライド部材２３のみを停止させ、しかる後、第２の移動吸収手段４１の動力吸収を解除して第１および第２の従動側スライド部材２２，２３の両方を駆動側スライド部材２１と共に移動させることができ、１つのモータ２０を駆動源として第１ないし第３の可動役物１７，１８，１９を個別に動作させることができる。
【００３７】
また、第１ないし第３の可動役物１７，１８，１９の構成部材である可動装飾体３０を上層の光透過性シート３０ａと下層の光拡散シート３０ｂとの２層構造となし、支持ベース１６の載置面１６ｂに敷設された配線基板３５上に複数のＬＥＤ３６を実装することにより、各ＬＥＤ３６から発せられた光が光拡散シート３０ｂで拡散された後、透過性シート３０ａを透して遊技者に目視されるようになっているので、各可動役物１７，１８，１９による演出効果をより一層高めることができる。
【００３８】
なお、上記実施形態例では、１つのモータ２０を駆動源として３つの可動役物１７，１８，１９を個別に動作させる場合について説明したが、モータ２０によって駆動される可動役物の数は３つに限定されず、例えば第２の従動側スライド部材２３を省略して２つの可動役物１７，１８を動作させたり、第２の従動側スライド部材２３に第２の移動吸収手段４１と同様の構成を介して他の従動側スライド部材を連結することにより、４つ以上の可動役物を個別に動作させることも可能である。
【００３９】
また、上記実施形態例では、駆動側スライド部材２１に設けた突起２１ｂを第１の従動側スライド部材２２に設けた長溝２２ｂに挿入することによって第１の移動吸収手段３９を構成した場合について説明したが、これとは逆に第１の従動側スライド部材２２に設けた突起を駆動側スライド部材２１に設けた長溝に挿入しても良く、同様に、第２の移動吸収手段４１として第２の従動側スライド部材２３に設けた突起を第１の従動側スライド部材２２に設けた長溝に挿入する構成にしても良い。
【００４０】
また、上記実施形態例では、本発明による演出装置をパチンコ機に適用した場合について説明したが、本発明はスロットマシン等の他の遊技機にも適用可能である。
【図面の簡単な説明】
【００４１】
【図１】本発明の実施形態例に係るパチンコ機の斜視図である。
【図２】該パチンコ機に備えられる遊技盤の正面図である。
【図３】該遊技盤に配設される演出装置の平面図である。
【図４】該演出装置の側面図である。
【図５】該演出装置に備えられる可動役物の斜視図である。
【図６】該可動役物の平面図である。
【図７】該可動役物の側面図である。
【図８】図７のＡ−Ａ線に沿う断面図である。
【図９】該可動役物の分解斜視図である。
【図１０】図６のＢ−Ｂ線に沿う断面図である。
【図１１】該可動役物に備えられるスライド部材の説明図である。
【図１２】各スライド部材の連結状態を示す要部斜視図である。
【図１３】図１２から基台を省略して示す要部斜視図である。
【図１４】各スライド部材のカム溝と各駆動体との係合関係を示すタイミングチャートである。
【図１５】複数の可動役物の動作状態を示す要部斜視図である。
【符号の説明】
【００４２】
３  遊技盤
９  遊技領域
１０  画像表示画面
１１  演出装置
１６  支持ベース
１７，１８，１９  可動役物
２０  モータ
２１  駆動側スライド部材
２１ａ  ラック
２１ｂ  突起
２２  第１の従動側スライド部材
２２ａ  凹部
２２ｂ  長溝
２２ｃ  突起
２３  第２の従動側スライド部材
２３ａ  長溝
２４  ピニオン
２５  基台
２７  駆動体
２７ａ  支軸
２７ｂ  突起
２８，２９  回動リンク
３０  可動装飾体
３１  固定装飾体
３０ａ  光透過性シート
３０ｂ  光拡散シート
３２  支持体
３２ａ  ガイド孔
３３  軸受体
３３ａ  ガイド溝
３４  カム溝
３４ａ  第１の傾斜部
３４ｂ  第２の傾斜部
３５  配線基板
３６  ＬＥＤ（光源）
３７  カム溝
３７ａ  第１の傾斜部
３７ｂ  第２の傾斜部
３７ｃ  第３の傾斜部
３８  カム溝
３８ａ  傾斜部
３９  第１の移動吸収手段
４０，４２  弾性部材
４１  第２の移動吸収手段
【図１】
0005085300.tif 000002
【図２】
0005085300.tif 000003
【図３】
0005085300.tif 000004
【図４】
0005085300.tif 000005
【図５】
0005085300.tif 000006
【図６】
0005085300.tif 000007
【図７】
0005085300.tif 000008
【図８】
0005085300.tif 000009
【図９】
0005085300.tif 000010
【図１０】
0005085300.tif 000011
【図１１】
0005085300.tif 000012
【図１２】
0005085300.tif 000013
【図１３】
0005085300.tif 000014
【図１４】
0005085300.tif 000015
【図１５】
0005085300.tif 000016